(57)【要約】【課題】手で打ったり、蹴ったり、床に当たっても実用に耐える光る球技用ボールを提供すること【解決手段】表皮と補強層からなる表層及び同表層は複数の片の縫い合わせよりなり、この表層とその内側のチューブからなる構造のボールにおいて、光透過性で弾性を有し発光パネル部及び発光体保持部からなる発光体取り付け具をボールの表面から発光パネルを露出させ、且つ発光パネル部の径より大きくした発光体保持部の外周を補強層とチューブで挟まれた状態として複数装着し、発光パネル表面の発光体挿入口からＬＥＤ、電源、スイッチからなる発光体を発光体保持部まで着脱自在に挿入できる構造としたことを特徴とした発光球技用ボール。【選択図】図４
2006346100.tif 000002
【特許請求の範囲】
【請求項１】
表皮と補強層からなる表層及び同表層は複数の片の縫い合わせよりなり、この表層とその内側のチューブからなる構造のボールにおいて、光透過性で弾性を有し発光パネル部及び発光体保持部からなる発光体取り付け具をボールの表面から発光パネルを露出させ、且つ発光パネル部の径より大きくした発光体保持部の外周を補強層とチューブで挟まれた状態として複数装着し、発光パネル表面の発光体挿入口からＬＥＤ、電源、スイッチからなる発光体を発光体保持部まで着脱自在に挿入できる構造としたことを特徴とした発光球技用ボール。
【請求項２】
発光パネル表面の発光体挿入口の径を化学発光体の径よりも小さくし、この発光体挿入口と発光体保持部内の空洞部がつながった請求項１記載の発光球技用ボール。
【請求項３】
発光パネル表面から発光体保持部まで切り込みをいれて、発光パネル表面の切り込みから化学発光体を挿入し弾性素材の伸縮性を利用して発光体を保持する構造とした請求項１記載の発光球技用ボール。
【請求項４】
発光パネル表面の発光体挿入口に、この挿入口に直交した取り外し用溝を設けた請求項１記載の発光球技用ボール。
【請求項５】
ボールの表層の複数の発光パネルの位置を互いに同じ間隔とした請求項１記載の発光球技用ボール。
【請求項６】
発光体保持部の底面に光反射層を形成した請求項１記載の発光球技用ボール。
【発明の詳細な説明】
【技術分野】
【０００１】
本発明は、夕暮れや夜間においても使用できる光る球技用ボールに関するものである。
【背景技術】
【０００２】
本発明におけるボールとは、バレーボール、サッカーボール、ビーチボール、バスケットボール、ハンドボール、ラグビーボール、フットボール等の内部がチューブで表面が表皮で縫い合わされたボールの全てを意味する。この種のボールの先行技術を調査したが発見されなかった。実用新案出願平４−８７１６５のひかるボールはボール本体が半透明で、その中に袋が入っており、その袋の中に化学発光体を挿入して、全体を光らす遊戯用ボールであり、本発明とは異なるものであった。
又ＷＯ  ００／１０６４６の発明は、中空でない独立発砲プラスチック製ボールでありボール本体の構造が異なり、ボールの周りを一周して表面に溝が形成され、この溝に発光体を押し込むことが可能となっている。
さらに、Ｕ．Ｓ．Ｐａｔｅｎｎｔ  ５，７７９，５７５の発明の外層は薄くゴムやプラスチックでできている、この薄い層の厚みの中に光出口が設けられ、ＬＥＤランプはつながっており且つ電源は一ヶ所に集約されている。
【特許文献１】ＷＯ  ００／１０６４６
【特許文献２】Ｕ．Ｓ．Ｐａｔｅｎｎｔ  ５，７７９，５７５0
【発明の開示】
【発明が解決しようとする課題】
【０００３】
本発明は手で打ったり、蹴ったり、床に当たっても実用に耐える光る球技用ボールを提供することおよび、各種競技会に使用される正規なボールを、その性能を保持して、夕暮れ時や暗い所に飛んだボールを見失うことなく、又ボールの軌跡や回転を判断しつつ、球技を行うことができるボールを提供することを目的としたものでもある。
【課題を解決するための手段】
【０００４】
本発明のボールは、内部に空気を満たすチューブが入っており、その外側が表層でおおわれているもので、一般的には、この表層は補強層と表皮からなっている。表層はいくつかの単位（一片）を糸で縫い合わせたものである。なお、補強層のないボールであっても本発明の範囲に含まれるものである。
【０００５】
手縫いサッカーボールの構造の一例を下記に示す。圧搾空気を注入する球形中空のチューブは、空気透過率が天然ゴムの１／１０というブチルゴムを使用し、空気の漏れを最小限におさえた特殊配合ゴムを使用する。ボールの空気圧は一般的には０．６〜１．１気圧（６００〜１１００ｇ／ｃｍ2）である。表皮はソフトなタッチを残しながら強靭性、耐久性に富んだ品質の人工皮革を使用する。なお天然の皮革でもかまわない。
【０００６】
補強層は、ポリエステルとコットンの混紡布と天然ゴムラテックスの複合体よりなり、耐久性、触感、リバウンドなどバランスを考慮したものであり、技術内容に合わせて布種、ラテックス量を変化させる。縫い糸は、縫い目が開きにくい高強力のポリエステル撚糸を使用する。この補強層と表皮からなる表層の一単位の中央部分に穴を空ける。
【０００７】
例えば通常のサッカーボールの場合、六角形が２０単位、五角形が１２単位、これらを組み合わせて縫い合わせたものである。これらの単位につける穴は、それぞれが同じ間隔となるように複数設ける。つまりボールの重心が中心からずれることのないように複数の穴を設けるものである。このように、穴の位置を限定するのはボール本来の機能であるバランスを損なわないようにするためである。ただし、たんなる遊戯に使用するのであれば、限定する必要もない。本発明は用途、目的により穴の位置を設定するものである。
【０００８】
上記した表層とチューブの間に発光体取り付け具を介在して固定させる。この発光体取り付け具は軟質塩化ビニル、酢酸ビニルアセテート、天然ゴム、シリコンゴム等の合成ゴムで弾力性を有し、光を透す素材で成形されている。この発光体取り付け具はそれ自体弾性を有する為、ボール表面の曲面に合わせた成形も可能であるが、その必要性は少ないであろう。また表層とチューブの間に装着するものであるから、全体の形状が扁平状となっている。
【０００９】
発光ボール表層の穴から露出させた発光パネルは、発光体を着脱自在に取着するための挿入口としての機能と又、その発光パネルより外側に光が放出される発光面の機能をあわせもっている。発光源として使用する発光体は本体容器、電池、ＬＥＤ、スイッチよりなり、この発光体は弾性素材で囲まれているので衝撃に耐える構造となっている。この発光体取り付け具をチューブの外側で表層の下におさめることにより、表層の触感や耐久性をそこなうことがない構造とした。
【発明の効果】
【００１０】
本発明によると、今まで不可能とされてきた、手縫いサッカーボールなどの各種のボールの表面を点在した発光状態にできるため、夜間での使用も可能となり、又光るボールの軌跡を追うことで観客ならび選手にとっても楽しい球技を提供できる。又、本来の機能を損なうことを最小限におさえた構造であり、従って正式な球技にも使用できる効果がある。
【発明を実施するための最良の形態】
【００１１】
以下、本発明の発光球技用ボールの実施の形態を図面を参照しながら詳細に説明する。
【００１２】
図４は、本発明の第一の実施例を示す発光球技用ボールである。１２枚の五角形の表層１の中央にφ２５ｍｍの穴を開ける。発光体取り付け具は図１、２、３に示している。透明軟質塩化ビニル樹脂を素材として、直径φ４５ｍｍ厚さ７ｍｍの内部を横断貫通して空洞８を形成した発光体保持部９に連接して、φ２５ｍｍ高さ３ｍｍの発光パネル６をつけ、この発光パネル６にも横断した挿入口７を設けて、同挿入口７と空洞８をつなぐ。この挿入口７の入口の巾を３．５ｍｍとして発光体が飛び出すのを防止する。なお発光体のサイズは直径約φ６．０ｍｍ全長３５ｍｍを使用する。
【００１３】
上記の構成よりなる発光体取り付け具の発光パネル６を表層１の穴１３に挿入する。表層１の裏面、すなわち補強層３に発光体保持部９の上面が接触する。この接触面には表層１と発光体保持部９及び補強層３を図４に示すように発光パネル６の周りを円状に縫い合わせる。その後、一般的な製法によりボールを成形するとチューブと表層に発光体保持部９が挟まれた状態となり、成形後チューブに空気を入れる事により、強狭され固定される。成形されたボールの表面には１２ヶ所にφ２５ｍｍの円形発光面として機能する発光パネルの表面のみが表われる。
【００１４】
なお、本発明に使用する発光体は、図２に示すようにＬＥＤを内臓したキャップ部１５  と電池を着脱自在に収容できる電池収容部１６が螺合し分離可能状態となっている。
図面では点灯した状態をあらわしており、消灯する時は電池収容部１６を分離し電池を反転して入れ替えてキャップ部１５を螺合させる。
【００１５】
使用する時は、発光体１１を傾斜させて、発光パネル６の挿入口７より空洞８まで挿入して保持させる。挿入口７の長さは２５ｍｍであるのに対し、発光体の長さは３０〜３５ｍｍであり、容易に飛び出す構造となっていない。ボールの表面には、φ２５ｍｍの円形の発光面が１２ヶ所点在することになる。このボールを蹴ったり、投げたりすると、ボールの回転状態を判断したり、ボールのカーブ等の動きを暗いグラウンド等でも見分けられる。
【００１６】
第二の実施例は（図面なし）第一実施例の発光体を発光パネル表面の切り込み口から傾斜させて、強制的に挿入し、発光体保持部まで挿しこむと、同保持部の弾性により、包みこんだ状態で保持される。保持はボールに衝撃を与えても容易にとび出すことはない。また、発光体から出る光は、表面方向にも内側方向にも向うため、発光体保持部の底面に白色や鏡面の光反射層を設けておけば、内側（中心）方向の光を表面に反射させて光の輝度を増加できる効果がある。
【図面の簡単な説明】
【００１７】
【図１】本発明の第一実施例の発光体取り付け具の平面図。
【図２】本発明の第一実施例の発光体取り付け具の断面説明図。
【図３】本発明の第一実施例の発光体取り付け具の断面説明図。
【図４】本発明の第一実施例の発光球技用ボールの図。
【符号の説明】
【００１８】
１． 表層、  ２．表皮    ３．補強層、  ４．チューブ、  ５．発光体取り付け具、
６．発光パネル    ７．挿入口    ８．空洞    ９．発光体保持部、  １０．溝  
１１．発光体    １３．穴    １４．光反射層    １５．キャップ部  １６．電池収容部
【図１】
2006346100.tif 000003
【図２】
2006346100.tif 000004
【図３】
2006346100.tif 000005
【図４】
2006346100.tif 000006